(57)【要約】      （修正有）【課題】電子レンジ加熱調理用容器およびブランクシートセットを提供する。【解決手段】電子レンジ加熱調理用容器は、各々ブランクシートから形成された容器本体２と蓋本体３とを備え、容器本体２の第１側面部２１および第３側面部２３に設けられた、蓋本体３の係止用貫通孔３０に貫通する第２壁部２６には、蓋本体３における容器本体２に対向する側とは反対側の面に接触して蓋本体３を係止する係止部が設けられている。【選択図】図１
2015093732.tif 000002
【特許請求の範囲】
【請求項１】
各々別体であり対向配置している２つの本体を備え、
少なくとも何れかの上記本体における対向側の面にマイクロ波の照射により発熱する発熱体を配設しており、
一方の上記本体には、その周辺から他方の本体に向けて立設した側面部が設けられており、
他方の上記本体には、上記側面部が挿入される挿入部が設けられており、
上記側面部には、上記挿入部に挿入した状態において、上記他方の本体を係止する係止部が設けられており、
上記係止部は、上記一方の本体と上記他方の本体との離間距離が所定の距離であるときの上記他方の本体における上記一方の本体に対向する側とは反対側の面に接触する構成となっており、
上記一方の本体と上記他方の本体との離間部分に食品を配置して、上記一方の本体と上記他方の本体とによって該食品を挟むことを特徴とする電子レンジ加熱調理用容器。
【請求項２】
何れかの本体には、その周辺から立設した、上記一方の本体と上記他方の本体とを上記所定の距離離間させる離間保持部が設けられていることを特徴とする請求項１に記載の電子レンジ加熱調理用容器。
【請求項３】
上記２つの本体は各々１枚のブランクシートを折り曲げて組み立てたものであることを特徴とする請求項１または２に記載の電子レンジ加熱調理用容器。
【請求項４】
上記２つの本体は四角形を有し、
上記係止部は、上記一方の本体の四隅の各々に設けられていることを特徴とする請求項１から３までの何れか１項に記載の電子レンジ加熱調理用容器。
【請求項５】
上記係止部は、上記側面部に設けられた切り欠きによって形成されていることを特徴とする請求項１から４までの何れか１項に記載の電子レンジ加熱調理用容器。
【請求項６】
上記挿入部は、上記側面部が挿入される貫通孔であり、
上記貫通孔には、上記側面部における、上記係止部に隣接した部分の幅と等しい幅を有する部分と、該部分よりも幅が広い部分とが設けられていることを特徴とする請求項１から５までの何れか１項に記載の電子レンジ加熱調理用容器。
【請求項７】
上記側面部には、上記一方の本体と上記他方の本体との離間距離が上記所定の距離となるときの上記挿入部への挿入限界位置を示すマーカーが付されていることを特徴とする請求項１から６までの何れか１項に記載の電子レンジ加熱調理用容器。
【請求項８】
上記側面部が挿入された状態の上記挿入部には間隙があり、食品加熱時の熱または蒸気を該間隙から排出することを特徴とする請求項１から７までの何れか１項に記載の電子レンジ加熱調理用容器。
【請求項９】
上記他方の本体には、上記一方の本体とは反対側に向かって立設した、加熱対象である食品が加熱される際に発する熱または蒸気の排出方向をガイドする排出ガイド部が設けられていることを特徴とする請求項１から８までの何れか１項に記載の電子レンジ加熱調理用容器。
【請求項１０】
上記発熱体は、上記２つの本体における対向側の面に各々配設されていることを特徴とする請求項１から９までの何れか１項に記載の電子レンジ加熱調理用容器。
【請求項１１】
上記２つの本体は、食品を載置する載置面を有した容器本体と、上記載置面に対向する天面を有した蓋本体とであることを特徴とする請求項１から１０までの何れか１項に記載の電子レンジ加熱調理用容器。
【請求項１２】
請求項１から１１までの何れか１項に記載の電子レンジ加熱調理用容器の上記２つの本体を形成するためのそれぞれ１枚のブランクシートを有し、
一方の本体用のブランクシートには、上記側面部の境界部分に、立設の起点となる折り畳み用折り線が設けられており、
他方の本体用のブランクシートには、上記挿入部が設けられているか、あるいは該挿入部となる領域が設けられていることを特徴とするブランクシートセット。
【発明の詳細な説明】
【技術分野】
【０００１】
本発明は、マイクロ波の照射によって発熱する発熱体を備えた電子レンジ加熱調理用容器およびそのブランクシートセットに関する。
【背景技術】
【０００２】
マイクロ波を吸収して発熱する発熱体を備えた加熱容器は従来より各種提案されており、電子レンジを用いていながら、食品や食材をまるでグリルやオーブンで調理したかのような仕上がりで加熱調理することができることから、便利なキッチン用品の一つとして注目されている。
【０００３】
特許文献１には、食品を収容するための容器本体と、それに被せる蓋とを有し、容器本体と蓋のそれぞれに設けた発熱体を食品に接触させることによって、食品の両面に焼き目を付けることができる電子レンジ加熱調理用容器が開示されている。
【０００４】
また、特許文献２には、食品を支持するためのボトムパネルと、ボトムパネルと同一の素材から構成され、折り曲げ可能にボトムパネルに取り付けられたフレキシブルフラップであって、食品を加熱するためのマイクロ波絶縁素材の層を含むフレキシブルフラップとを有する食品加熱用のパッケージが開示されている。
【先行技術文献】
【特許文献】
【０００５】
【特許文献１】特開２０１１−２３０７９１号公報（２０１１年１１月１７日公開）
【特許文献２】特表２００９−５３７４１６号公報（２００９年１０月２９日公表）
【発明の概要】
【発明が解決しようとする課題】
【０００６】
しかしながら、上述した従来技術の電子レンジ加熱調理用容器は何れも、食品を挟んだ下面と上面との間隔を面全体において均一に維持することができない。
【０００７】
具体的には、例えば特許文献１の電子レンジ加熱調理用容器の構成の場合、容器本体の内方に挿入される蓋の周囲には、上方に折り曲げられたフリップが設けており、このフリップが、容器本体の内側の側面に接触している。しかしながら、蓋は、発熱体の熱や加熱時に食品から出る油分や水分によって反りが生じ、平坦な状態を維持することができないことがある。このように蓋が反ると、その周縁部、すなわちフリップが容器本体の内側の側面との接触を維持できないため、蓋の浮き上がりが生じる。そのため、食品を挟んだ下面と上面（蓋）との間隔が面全体において均一な状態とならず、食品をその両面から良好に加熱することができない虞がある。
【０００８】
また、特許文献２の場合は、フレキシブルフラップを折り曲げる構成であるため、折り曲げ部分に近い位置での下面と上面との間の距離と、折り曲げ部分から遠い位置での下面と上面との間の距離が均一にならない。そのため、下面および上面の面全体において均一な間隔を維持することができず、仮に両面に発熱体があったとしても、食品をその両面から良好に加熱することができない虞がある。
【課題を解決するための手段】
【０００９】
そこで、本発明は上記の問題点に鑑みてなされたものであり、その目的は、発熱体同士の間隔を均一に維持できる電子レンジ加熱調理用容器およびそのブランクシートセットを提供することにある。
【００１０】
本発明に係る電子レンジ加熱調理用容器は、上記の課題を解決するために、
各々別体であり対向配置している２つの本体を備え、
少なくとも何れかの上記本体における対向側の面にマイクロ波の照射により発熱する発熱体を配設しており、
一方の上記本体には、その周辺から他方の本体に向けて立設した側面部が設けられており、
他方の上記本体には、上記側面部が挿入される挿入部が設けられており、
上記側面部には、上記挿入部に挿入した状態において、上記他方の本体を係止する係止部が設けられており、
上記係止部は、上記一方の本体と上記他方の本体との離間距離が所定の距離であるときの上記他方の本体における上記一方の本体に対向する側とは反対側の面に接触する構成となっており、
上記一方の本体と上記他方の本体との離間部分に食品を配置して、上記一方の本体と上記他方の本体とによって該食品を挟むことを特徴としている。
【００１１】
このように一方の本体に設けられた側面部に設けられた係止部が、上記一方の本体と上記他方の本体との離間距離が所定の距離であるときの上記他方の本体における上記一方の本体に対向する側とは反対側の面に接触して該他方の本体を係止する。これにより、上記一方の本体と上記他方の本体との離間距離が所定の距離を超えることがない。したがって、一方の本体と他方の本体とによって食品を挟むことにより、これら２つの本体は食品に接触した状態を維持することができる。
【００１２】
また、２つの本体は別体によって構成されているため、両者が連結している従来構成のような離間距離のばらつきが生じず、離間距離を２つの本体の対向領域全体に渡って均一にすることができる。
【００１３】
上記発熱体は、マイクロ波の照射により発熱する発熱体である。具体的には、電子レンジから照射されたマイクロ波により、発熱体に構成された金属薄膜層で渦電流が発生し、そのジュール熱によって発熱体が発熱し、この発熱によって加熱対象である食品を加熱しその表面に焼き目を付けることができる。したがって、上記の構成によれば、そのような発熱体を２つの本体の何れかに配設すれば、発熱体を食品の片側に接触させて当該片側を良好に加熱することができる。また、２つの本体の双方の対向側に発熱体を配設すれば、発熱体同士によって食品を両側から挟み込み、該両側を良好に加熱することができる。
【００１４】
また本発明に係る電子レンジ加熱調理用容器は、上記の構成に加えて、
何れかの本体には、その周辺から立設した、上記一方の本体と上記他方の本体とを上記所定の距離離間させる離間保持部が設けられている。
【００１５】
上記の構成によれば、離間保持部が設けられていることから、一方の本体と他方の本体との離間距離が上記所定の距離よりも小さくなることはない。したがって、発熱体が反対側の本体に接触したり、発熱体同士が接触したりする不都合を回避することができ、信頼性の高い電子レンジ加熱調理用容器を提供することができる。
【００１６】
また本発明に係る電子レンジ加熱調理用容器は、上記の構成に加えて、
上記２つの本体は各々１枚のブランクシートを折り曲げて組み立てたものである。
【００１７】
上記の構成によれば、２つの本体が各々１枚のブランクシートを折り曲げて組み立てたものであることから、組み立て前の状態では保管が容易で輸送性に優れた電子レンジ加熱調理用容器を提供することができる。
【００１８】
また、ブランクシートは比較的軽量である。そのため、軽量な電子レンジ加熱調理用容器を提供することができる。また、軽量であることから、蓋本体は浮き上がり易いところ、本発明の構成によれば、蓋本体の浮き上がりを抑えて、容器本体と蓋本体との間の離間距離を所定の距離に維持することができる。
【００１９】
また本発明に係る電子レンジ加熱調理用容器は、上記の構成に加えて、
上記２つの本体は四角形を有し、
上記係止部は、上記一方の本体の四隅の各々に設けられている。
【００２０】
上記の構成によれば、四角形の本体の四隅の各々に係止部を設けることにより、反り易い角部を集中的に係止することができ、２つの本体間の離間距離を効果的に上記所定の距離に維持することができる。
【００２１】
なお、本願明細書において四角形とは、完全な四角形状の他に、切り欠きが設けられていたり、角部が直角でなく曲線を有してなる概ね四角形である形状も含む。
【００２２】
また本発明に係る電子レンジ加熱調理用容器は、上記の構成に加えて、
上記係止部は、上記側面部に設けられた切り欠きによって形成されている。
【００２３】
上記切り欠きに上記他方の本体を挿入することによって、上記側面部は、上記挿入部に挿嵌されている。
【００２４】
上記の構成によれば、係止部を切り欠きによって形成し、その切り欠きに他方の本体を挿入することから、簡易な構成によって係止部による他方の本体の係止を実現することができる。すなわち、簡易な構成によって２つの本体間の離間距離を上記所定の距離に維持することができる。
【００２５】
また本発明に係る電子レンジ加熱調理用容器は、上記の構成に加えて、
上記挿入部は、上記側面部が挿入される貫通孔であり、
上記貫通孔には、上記側面部における、上記係止部に隣接した部分の幅と等しい幅を有する部分と、該部分よりも幅が広い部分とが設けられている。
【００２６】
上記の構成によれば、貫通孔のどこかの箇所に係止部の幅よりも長い部分を設けているため、貫通孔に係止部を差し込む時、差し込みやすくなる。また、それ以外の箇所は係止部と等しい幅を有しているため、側面部が貫通孔から外れにくい構成を実現することができる。
【００２７】
また本発明に係る電子レンジ加熱調理用容器は、上記の構成に加えて、
上記側面部には、上記一方の本体と上記他方の本体との離間距離が上記所定の距離となるときの上記挿入部への挿入限界位置を示すマーカーが付されている。
【００２８】
上記の構成によれば、上記マーカーを上記側面部に付すことにより、本発明に係る電子レンジ加熱調理用容器のユーザーは、２つの本体間の距離が上記所定の距離であるか否かを視覚的に認識することができる。
【００２９】
また本発明に係る電子レンジ加熱調理用容器は、上記の構成に加えて、
上記側面部が挿入された状態の上記挿入部には間隙があり、食品加熱時の熱または蒸気を該間隙から排出する。
【００３０】
上記の構成によれば、熱や蒸気を排出する機構となっていることから、加熱対象である食品の蒸気や熱を容器外部に排出して、食品にクリスピーな食感を付与することができることに寄与する。
【００３１】
また本発明に係る電子レンジ加熱調理用容器は、上記の構成に加えて、
上記他方の本体には、上記一方の本体とは反対側に向かって立設した、加熱対象である食品が加熱される際に発する熱または蒸気の排出方向をガイドする排出ガイド部が設けられている。
【００３２】
上記の構成によれば、上記排出ガイド部が設けられていることから、熱や蒸気を所定の方向に排出することができる。これにより、電子レンジ加熱調理用容器のユーザーに不意に熱や蒸気が吹きかかることがない。そのため、より一層安全、安心な電子レンジ加熱調理用容器を提供することができる。
【００３３】
また本発明に係る電子レンジ加熱調理用容器は、上記の構成に加えて、
上記発熱体は、上記２つの本体における対向側の面に各々配設されている。
【００３４】
上記の構成によれば、食品をその両面から効率的に加熱し、該両面に焼き目を付けることができる。
【００３５】
また本発明に係る電子レンジ加熱調理用容器は、上記の構成に加えて、
上記２つの本体は、食品を載置する載置面を有した容器本体と、上記載置面に対向する天面を有した蓋本体とである。
【００３６】
また上記の課題を解決するために、本発明に係るブランクシートセットは、
上記の構成の電子レンジ加熱調理用容器の上記２つの本体を形成するためのそれぞれ１枚のブランクシートを有し、
一方の本体用のブランクシートには、上記側面部の境界部分に、立設の起点となる折り畳み用折り線が設けられており、
他方の本体用のブランクシートには、上記挿入部が設けられているか、あるいは該挿入部となる領域が設けられていることを特徴としている。
【００３７】
上記の構成によれば、２つの本体が各々１枚のブランクシートを折り曲げて組み立てたものであることから、組み立て前の状態では保管が容易で輸送性に優れた電子レンジ加熱調理用容器を提供することができる。
【００３８】
また、ブランクシートは比較的軽量である。そのため、軽量な電子レンジ加熱調理用容器を提供することができる。また、軽量であることから、蓋となる本体は浮き上がり易いところ、本発明の構成によれば、この浮き上がりを抑えて、２つの本体間の離間距離を所定の距離に維持することができる。
【発明の効果】
【００３９】
本発明は、発熱体同士の間隔を均一に維持できる電子レンジ加熱調理用容器およびそのブランクシートセットを提供することができる。
【図面の簡単な説明】
【００４０】
【図１】本発明に係る電子レンジ加熱調理用容器の一形態の斜視図である。
【図２】図１に示す電子レンジ加熱調理用容器の分解図である。
【図３】図１に示す電子レンジ加熱調理用容器の部分拡大図である。
【図４】図１に示す電子レンジ加熱調理用容器の部分拡大図である。
【図５】図１に示す電子レンジ加熱調理用容器の部分拡大図である。
【図６】図１に示す電子レンジ加熱調理用容器の部分断面拡大図である。
【図７】図１に示す電子レンジ加熱調理用容器の断面図である。
【図８】図１に示す電子レンジ加熱調理用容器の断面図である。
【図９】図１に示す電子レンジ加熱調理用容器を構成するブランクシートの上面図である。
【図１０】図１に示す電子レンジ加熱調理用容器を構成するブランクシートの上面図である。
【図１１】図１に示す電子レンジ加熱調理用容器に配設される発熱体の構成を示した断面図である。
【図１２】本発明に係る電子レンジ加熱調理用容器の他の形態の部分拡大図である。
【図１３】本発明に係る電子レンジ加熱調理用容器の他の形態の部分拡大図である。
【図１４】本発明に係る電子レンジ加熱調理用容器の他の形態の部分拡大図である。
【図１５】本発明に係る電子レンジ加熱調理用容器の他の形態の部分拡大図である。
【発明を実施するための形態】
【００４１】
以下に、本発明の一実施形態を説明する。
【００４２】
図１は、本発明に係る電子レンジ加熱調理用容器の一実施形態を示す斜視図である。図２は、図１に示す電子レンジ加熱調理用容器の分解図である。
【００４３】
なお、本実施形態の電子レンジ加熱調理用容器１は、文字通り電子レンジを用いて食品を加熱するために用いる容器であり、本実施形態では、均一な厚さを有する食品をその両面から加熱しながら、該両面に焼き目を付けることができる加熱調理用容器について説明する。
【００４４】
本実施形態の電子レンジ加熱調理用容器１は、容器本体２および蓋本体３（２つの本体）を備えている。容器本体２と蓋本体３とは図２に示すように各々別体であり、図１に示すように容器本体２と蓋本体３とは対向配置しており、容器本体２と蓋本体３との離間部分に食品を配置する構成となっている。
【００４５】
〔容器本体２〕
容器本体２は、ほぼ四角形を有しており、発熱体４Ａ（図２）を中央部分に配設した底部２０と、底部２０の周辺（四辺）から蓋本体３（他方の本体）に向けて立設した側面部２１〜２４とが設けられている。なお、以下の説明において、４つの側面部のいずれかを特定する必要がある場合には、これを第１側面部２１、第２側面部２２、第３側面部２３、および第４側面部２４とする。第１側面部２１と第３側面部２３とは対向しており、第２側面部２２と第４側面部２４とは対向している。
【００４６】
また、第１側面部２１、第２側面部２２、第３側面部２３、および第４側面部２４は互いに離間しており、側面部と側面部との間（四隅）には、隙間が形成されている。しかしながら、本発明はこれに限定されるものではなく、隣り合う側面部同士が係合したり、係合によって隙間が形成されない態様としてもよい。
【００４７】
また、第１側面部２１、第２側面部２２、第３側面部２３、および第４側面部２４には、立設している高さが互いに異なる複数種の壁部から構成されている。具体的には、第１壁部２５（離間保持部）と、第１壁部２５よりも高く立設した第２壁部２６、第３壁部２７および第４壁部２８とを有している。
【００４８】
第１壁部２５は、第１側面部２１、第２側面部２２、第３側面部２３、および第４側面部２４のいずれにも設けられている。第１壁部２５は、容器本体２と蓋本体３との離間距離を所定距離に保持するため、より具体的には容器本体２と蓋本体３との離間距離が所定距離よりも短くならないようにするために、容器本体２の底部２０の面（発熱体を配設して、該発熱体の表面を食品を載置する載置面として構成している面）から該離間距離の長さほど立設している。これにより、図１のように蓋本体３を容器本体２に被せた場合に、第１壁部２５の立設先端部分が、蓋本体３の下面（容器本体２に対向する側の面）に接触し、容器本体２と蓋本体３との離間距離を保持する。第２壁部２６と、第３壁部２７と、第４壁部２８との間に、第１壁部２５が設けられていることによって、容器本体２の周囲の複数箇所において、容器本体２と蓋本体３との離間距離を保持することができる。
【００４９】
第２壁部２６は、第１側面部２１および第３側面部２３に設けられており、より具体的には、第１側面部２１および第３側面部２３それぞれの、第２側面部２２側の端領域と第４側面部２４側の端領域とに設けられている。すなわち、容器本体２には合計４つの第２壁部２６が設けられている。第２壁部２６は、蓋本体３の係止用貫通孔３０（挿入部）に貫通する構成となっており、貫通後は図１に示すように、その先端部分が蓋本体３の上面（容器本体２に対向する側とは反対側の面）から突出する。
【００５０】
第３壁部２７は、第２壁部２６と概ね等しい高さで立設している。第３壁部２７は、第２側面部２２および第４側面部２４に設けられており、具体的には、第１側面部２１と第３側面部２３とのちょうど中間部分に設けられている。第３壁部２７の第１側面部２１側および第３側面部２３側には、第１壁部２５が設けられている。第３壁部２７は、蓋本体３の第１位置決め用貫通孔３１（挿入部）に貫通する構成となっており、貫通後は図１に示すように、その先端部分が蓋本体３の上面（容器本体２に対向する側とは反対側の面）から突出する。また、第３壁部２７には、挿入完了マーカー２９（マーカー）が付されている。挿入完了マーカー２９は、容器本体２と蓋本体３との間が上記所定の距離であることを示しており、ユーザーが第３壁部２７を蓋本体３の第１位置決め用貫通孔３１に挿入している際に、第１位置決め用貫通孔３１から挿入完了マーカー２９が見えると、容器本体２と蓋本体３との間が上記所定の距離になったことを直感的に判断することができる。
【００５１】
第４壁部２８は、第２壁部２６および第３壁部２７と概ね等しい高さで立設している。第４壁部２８は、第１側面部２１および第３側面部２３に設けられており、より具体的には、第１側面部２１および第３側面部２３それぞれの両端領域に設けられた第２壁部２６と第２壁部２６との間に位置している。また、第４壁部２８は、蓋本体３の第２位置決め用切り欠き部３２（挿入部）に挿入される構成となって、挿入後は図１に示すように、その先端部分が蓋本体３の上面（容器本体２に対向する側とは反対側の面）から突出する。
【００５２】
容器本体２の材質は、例えば紙であり、積層構造であってもよいし、表面などに防水、防油などの加工が施されていてもよい。容器本体２は、後述するように１枚のブランクシートを折り曲げて組み立てたものであってよい。
【００５３】
〔蓋本体３〕
蓋本体３は、ほぼ四角形を有したシート状の構造体であり、その大きさは、図２に示した状態の容器本体２の食品収納領域を覆うサイズを有している。蓋本体３における容器本体２に対向する側の面には、発熱体４Ｂが設けられている。
【００５４】
また、蓋本体３には、発熱体４Ｂ（図２）を囲んだ外縁領域に、上述した係止用貫通孔３０（挿入部）、第１位置決め用貫通孔３１（挿入部）および第２位置決め用切り欠き部３２（挿入部）が設けられている。係止用貫通孔３０および第１位置決め用貫通孔３１は、蓋本体３の、容器本体２に対向する側の面から、その反対側の面に貫通する貫通孔である。第２位置決め用切り欠き部３２は、蓋本体３の外縁領域の一部を、蓋本体３の発熱体４Ｂ配設面から、容器本体２から離れる方向に立設することによって、立設前に当該一部が在った領域に形成される。
【００５５】
更に、蓋本体３には、第２位置決め用切り欠き部３２（挿入部）に隣接して、加熱対象である食品が加熱される際に発する熱や蒸気の排出方向をガイドする排出ガイド部３３が設けられている。この排出ガイド部３３は、第２位置決め用切り欠き部３２が形成されるために立設された部分（蓋本体３の外縁領域の一部を立設した部分）によって形成されている。排出ガイド部３３については後述する。
【００５６】
蓋本体３の材質は、例えば紙であり、積層構造であってもよいし、表面などに防水、防油などの加工が施されていてもよい。蓋本体３は、後述するように１枚のブランクシートを折り曲げて組み立てたものであってよい。
【００５７】
〔蓋本体３の係止用貫通孔３０と容器本体２の第２壁部２６との関係〕
以下に、図３から図５を用いて、蓋本体３の係止用貫通孔３０と、容器本体２の第２壁部２６との関係について説明する。
【００５８】
図３は、蓋本体３の係止用貫通孔３０の拡大図であり、図２中に一点破線を付して示した部分の拡大図である。図４は、図３に示す係止用貫通孔３０に第２壁部２６を挿入した直後の状態を示す拡大図である。図５は、図３に示す係止用貫通孔３０に第２壁部２６を係止し、最終形態をとった状態を示す拡大図である。
【００５９】
図３に示す蓋本体３の係止用貫通孔３０の長さＰは、挿入する第２壁部２６の厚さよりも大きく構成されている。本実施形態において「第２壁部２６の厚さ」とは、後述するブランクシートの厚さに相当する。
【００６０】
この長さＰの延伸方向に対して垂直方向に沿った係止用貫通孔３０の長さに関して、蓋本体３の外縁に近い側の係止用貫通孔３０の端の長さＲは、該端よりも外縁から離れている側の端の長さＱよりも短い。ここで、係止用貫通孔３０の長さＱは、第２壁部２６の最も幅広の部分の長さと等しいかそれよりも長く構成されている。一方、係止用貫通孔３０の長さＲは、詳細は後述するが、第２壁部２６の最も幅広の部分の長さよりも短く構成されている。
【００６１】
そして、係止用貫通孔３０には、長さＱを有する端から長さＲを有する端に向かって、その両端の間は、長さＲおよび長さＱと平行である長さが連続的に短くなるように傾斜部３０ａが形成されている。
【００６２】
係止用貫通孔３０に、蓋本体３の下面から第２壁部２６を挿入する際、上述のように係止用貫通孔３０の長さＱを有する端に第２壁部２６を挿入する（図４）。
【００６３】
ここで、第２壁部２６には、係止用貫通孔３０に挿入した状態において蓋本体３における容器本体２に対向する側とは反対側の面に接触して蓋本体３を係止する係止部２６ａが設けられている。
【００６４】
係止部２６ａは、第２壁部２６に設けられた切り欠きによって形成されており、係止部２６ａには、係止用貫通孔３０の周辺領域の蓋本体３を挿入することができる。すなわち、係止部２６ａの幅（第２壁部２６の立設方向に沿った長さ）は、蓋本体３の厚さと等しいかそれより僅かに広く構成されている。また、係止部２６ａの高さ（底部２０から垂直方向に立設させた第２壁部２６における底部２０からの高さ）は、容器本体２と蓋本体３との離間距離（所定の離間距離）に等しい。すなわち、係止部２６ａの高さは、第１壁部２５の立設先端部と同じ高さである。
【００６５】
第２壁部２６を係止用貫通孔３０に挿入した時点では、係止部２６ａに蓋本体３は挿入されていないが、係止部２６ａは傾斜部３０ａに対向している位置にある。ここで、本実施形態の電子レンジ加熱調理用容器１のユーザーは、第２壁部２６を係止用貫通孔３０に挿入した直後から、第２壁部２６を長さＱを有する端から長さＲを有する端に向かって第２壁部２６を移動させることにより、係止部２６ａに傾斜部３０ａが挿入されていき、図５に示す最終形態では、第２壁部２６が係止用貫通孔３０に挿嵌された状態を実現することができる。
【００６６】
これにより、容器本体２と蓋本体３との離間距離が所定の距離を超えないようにすることができる。
【００６７】
図６は、図５に示す切断線Ａ−Ａ´における断面である。図６に示すように、第２壁部２６の係止部２６ａに蓋本体３（傾斜部３０ａ）が挿入されており、第２壁部２６が係止用貫通孔３０に挿嵌された状態となっており、第２壁部２６における蓋本体３の上面よりも突出した部分における係止部２６ａが、蓋本体３の上面に接触し、該上面に押圧を加えているような形態を実現している。これにより、蓋本体３は、容器本体２と蓋本体３との所定の離間距離を超えて浮き上がることはなく、容器本体２と蓋本体３とを所定の離間距離に維持することができる。なお、図６に示すように、係止用貫通孔３０における長さＲは、第２壁部２６における係止部２６ａに隣接した括れた部分の幅と等しく構成されている。
【００６８】
これにより、容器本体２および蓋本体３のそれぞれの対向側の面に設けられた発熱体４Ａ、４Ｂ間の離間距離を所定の距離に維持することができるため、容器本体２と蓋本体３との離間部分に配置して食品を両側から加熱することができる。
【００６９】
上記所定の距離は、加熱対象である食品の大きさに応じて設定する。例えば厚さ５ｍｍのクッキーを加熱対象とするときには、上記所定の距離を厚さ５ｍｍあるいはそれよりも僅かに厚く設定すればよく、これは、第１壁部２５の立設の高さを５ｍｍあるいはそれよりも僅かに高くして、また、係止部２６ａの高さを５ｍｍあるいはそれよりも僅かに高くとすることによって実現できる。このようにすることによって、クッキー生地の両面に発熱体が接触した状態で電子レンジにより加熱することができ、両面に焼き目が付いたクッキーを焼き上げることができる。
【００７０】
なお、本実施形態では、第２壁部２６の係止部２６ａに蓋本体３（傾斜部３０ａ）が挿入されている態様であるが、本発明はこれに限定されるものではない。第２壁部２６における、蓋本体３の上面よりも突出した部分の一部（その高さは上記所定の距離と等しいかそれより僅かに高い）が、蓋本体３の上面に接触し、該上面に押圧を加えることができる形態であれば、容器本体２および蓋本体３のそれぞれの対向側の面に設けられた発熱体４Ａ、４Ｂ間の離間距離を所定の距離に維持することができる。
【００７１】
しかしながら、本実施形態のように係止部２６ａに蓋本体３（傾斜部３０ａ）を挿入したときに、係止部２６ａが蓋本体３の上面に接触するだけでなく、蓋本体３（傾斜部３０ａ）の下面（発熱体配設側の面）を支持している態様であったり、更には、係止部が図６に示す係止部２６ａの形状よりもより蓋本体（傾斜部）を挟持しているような形状を有している場合には、係止部２６ａが、蓋本体３を、上記離間距離が上記所定の距離よりも大きくなることを防ぐことができるだけでなく、当該所定の距離よりも小さくなってしまうことも防ぐことができる。この場合には、第１壁部２５を必ずしも設ける必要はない。
【００７２】
〔熱や蒸気を排出する機構〕
図７は、図１に示す切断線Ｂ−Ｂ´における断面図であり、図８は、図１に示す切断線Ｃ−Ｃ´における断面図である。なお、説明の便宜上、図７および図８には、加熱対象の食品５０を図示している。
【００７３】
図７および図８に示すように、本実施形態の電子レンジ加熱調理用容器１は、発熱体４Ａおよび発熱体４Ｂによって食品５０を両側から挟んで食品５０を加熱する。加熱時には、容器本体２と蓋本体３との離間部分に、熱や、食品５０から発生した蒸気が溜まる。そこで、食品５０をクリスピーに仕上げるあるいは焼き目を綺麗に付ける目的で、本実施形態の電子レンジ加熱調理用容器１には、蓋本体３に設けた係止用貫通孔３０、第１位置決め用貫通孔３１、および第２位置決め用切り欠き部３２から、これら熱や蒸気を上方に排出する。
【００７４】
そのために、蓋本体３に設けた係止用貫通孔３０、第１位置決め用貫通孔３１、および第２位置決め用切り欠き部３２は、容器本体２の上述した壁部が挿入されてもなお、余剰スペース（隙間）が形成される大きさを有して形成されている。これにより、容器本体２の上述した壁部が挿入された後にも、そのスペースを熱や蒸気の排出する孔として利用することができる。
【００７５】
更に、排出時、係止用貫通孔３０に挿入された係止部２６ａが熱および蒸気の排出方向を規制して、排出する方向をガイドする役割を果たしている。同様に、図７に示すように、第２位置決め用切り欠き部３２に挿入された第４壁部２８および排出ガイド部３３も、熱および蒸気の排出方向を規制して、排出する方向をガイドする役割を果たしている。また、図８に示すように、第１位置決め用貫通孔３１に挿入された第３壁部２７も、熱および蒸気の排出方向を規制して、排出する方向をガイドする役割を果たしている。このように排出方向を上方に規制することによって、ユーザーが本実施形態の電子レンジ加熱調理用容器１を（食品の加熱後に）電子レンジの庫内から取り出す際に、ユーザーに向かって熱や蒸気が噴出して火傷を負うような危険を回避することができる。
【００７６】
〔ブランクシート〕
本実施形態の電子レンジ加熱調理用容器１を構成する容器本体２および蓋本体３は、それぞれ１枚のブランクシートから形成することができる。
【００７７】
図９は、蓋本体３を形成するための蓋本体用ブランクシート１０３の展開図である。図１０は、容器本体２を形成するための容器本体形成用ブランクシート１０２の展開図である。図９および図１０は何れも、発熱体が形成されている面とは反対側の面が見えている状態である。
【００７８】
図９に示すように、蓋本体用ブランクシート１０３は、使用前、あるいは使用していない間には、図９中に示した点線箇所Ｆにおいて折り曲げて（山折りして）保管することができる。これにより、保管が容易であり、使用前の場合には小さく包装することができ、また搬送も容易であるため好ましい。
【００７９】
図１０に示す容器本体形成用ブランクシート１０２も同様に、点線箇所Ｆにおいて折り曲げて（山折りして）保管することができる。
【００８０】
また、上述した種々の立設部材（具体的には、第１側面部２１〜第４側面部２４および排出ガイド部３３）は、蓋本体用ブランクシート１０３および容器本体形成用ブランクシート１０２を折り曲げて形成するが、蓋本体用ブランクシート１０３および容器本体形成用ブランクシート１０２には、その折り曲げ箇所を示す折り曲げマーカー１０２ｂ（折り畳み用折り線）、１０３ｂが付されていることが好ましい。また、この折り曲げマーカー１０２ｂ、１０３ｂには、折り曲げ方向（山折りなのか谷折りなのか）を示す明示していることが好ましい。これにより、適切な箇所で上述の立設部材を形成することができる。
【００８１】
蓋本体用ブランクシート１０３および容器本体用ブランクシート１０２には、図９および図１０に示す表面に、星印と丸印の位置合わせマーカー１０２ａ、１０３ａを付している。蓋本体用ブランクシート１０３と容器本体用ブランクシート１０２とで星印同士を合せるように、また丸印同士を合せれば、上述した壁部と貫通孔あるいは切り欠きとを容易に合わせることができ、電子レンジ加熱調理用容器を容易に組み立てるための助けとなる。
【００８２】
また、蓋本体用ブランクシート１０３には、図９に示すように、ユーザーが本実施形態の電子レンジ加熱調理用容器１を把持する際の把持箇所を示す把持位置マーカー１０３ｃが付されている。これにより、（食品の加熱後に）電子レンジの庫内から取り出す際などに適切に電子レンジ加熱調理用容器を運ぶことができる。
【００８３】
なお、蓋本体用ブランクシート１０３と容器本体用ブランクシート１０２との少なくとも何れかのシートの、食品に対向する側とは反対側の面には、ユーザーに向けて電子レンジ加熱調理用容器の使用上の注意や、レシピ（クッキーであればクッキー生地の作製手順）、あるいは、蓋本体用ブランクシート１０３と容器本体用ブランクシート１０２との組み立て手順の少なくとも何れかが印刷表示されていてもよい。
【００８４】
また、本実施形態では、概して四角形を有した蓋本体用ブランクシート１０３と容器本体用ブランクシート１０２とを組み合わせて、四角形をなした電子レンジ加熱調理用容器について説明している。ここで、四角形とは、完全な四角形状の他に、図９および図１０に示すように周囲に切り欠き等が設けられていたり、角部も直角でなく曲線を有してなる概ね四角形である形状も含む。また、本発明は四角形に限定されるものではなく、他の多角形（三角形、六角形、八角形など）であってもよく、あるいは円形であってもよい。
【００８５】
〔発熱体〕
図１１は、上述した発熱体４Ａ、４Ｂの層構成の一例を示す断面図である。発熱体４Ａ、４Ｂは、少なくともプラスチックフィルム層４０と、金属蒸着層４１と、剥離紙層４２とを順に有する多層構造を備えており、剥離紙層４２を食品側に向けて配置する。剥離紙層４２を食品に接触させた状態で加熱することにより、食品の焦げ付きを防ぐことができる。
【００８６】
プラスチックフィルム層４０に用いるプラスチックの種類は、例えば、ポリエチレンテレフタレート、ポリプロピレン、ポリメチルペンテン、ポリエーテルイミドである。フィルムは、未延伸フィルムであるか、または延伸フィルムであってもよい。耐熱性の観点では、二軸延伸フィルムであることがより好ましい。プラスチックフィルム層４０の厚さは、５〜５０μｍであることが好ましい。
【００８７】
金属蒸着層４１は、マイクロ波の照射によって発熱する層である。金属蒸着層４１に用いる金属の種類は、例えば、アルミニウム、ニッケル、金、銀、亜鉛、白金である。金属蒸着層４１の厚さは、２〜１０ｎｍであることが好ましく、５〜１０ｎｍであることがより好ましい。金属蒸着層４１の厚さが２ｎｍより薄い場合は発熱しないことがあり、厚さが１０ｎｍより厚い場合は金属蒸着層４１がスパークすることがあるため、金属蒸着層４１の厚さは、２〜１０ｎｍであることが好ましい。金属蒸着層４１は、プラスチックフィルム層４０の少なくとも片面に、例えば真空蒸着法による形成することができるが、形成方法は、これに限定されるものではない。金属蒸着層４１の発熱温度は、１７０℃以上２５０℃以下であることが好ましい。
【００８８】
剥離紙層４２は、表面に剥離加工を施した紙である。剥離加工とは、例えば、シリコンの塗布層を付与することである。剥離紙層４２の厚さは、１０〜１００μｍであることが好ましい。
【００８９】
発熱体４Ａ、４Ｂは、プラスチックフィルム層４０、金属蒸着層４１および剥離紙層４２以外の層を設けてもよい。例えば、各層間に接着層を設ける形態、剥離紙層４２とは反対側の表面に配置した層の表面に容器本体２または蓋本体３に接着するための接着層を設ける形態、剥離紙層４２とは反対側の表面に基材として紙層を設ける形態である。接着層は、発熱体４Ａ、４Ｂの全面に設けるか、または一部に設けてもよい。一部に設ける場合は、例えば帯状に設ける形態が挙げられる。
【００９０】
〔電子レンジ加熱調理用容器によって加熱調理される食品〕
本実施形態における電子レンジ加熱調理用容器１によって加熱調理される食品に特に制限はなく、概して平坦な両面を有する食品、食材であれば良い。例えば、クッキー、スコーン、パンケーキ、ラスク、ステーキ、お好み焼き、または、チヂミなどを挙げることができる。
【００９１】
〔本実施形態の作用効果〕
本実施形態における電子レンジ加熱調理用容器１は、以上のように、各々別体であり対向配置している容器本体２と蓋本体３とを備え、容器本体２と蓋本体３とには各々の対向面側に発熱体４Ａ、４Ｂを配設しており、容器本体２には、その周辺から蓋本体３に向けて立設した第１側面部２１、第２側面部２２、第３側面部２３および第４側面部２４が設けられており、蓋本体３には、第１側面部２１、第２側面部２２、第３側面部２３、および第４側面部２４に設けられた第２壁部２６、第３壁部２７および第４壁部２８が挿入される係止用貫通孔３０、第１位置決め用貫通孔３１および第２位置決め用切り欠き部３２が設けられており、第１側面部２１および第３側面部２３の第２壁部２６には、係止用貫通孔３０に挿入した状態において、容器本体２と蓋本体３との離間距離が所定の距離であるときの蓋本体３における容器本体２に対向する側とは反対側の面に接触して蓋本体３（傾斜部３０ａ）を係止する係止部２６ａが設けられている。このように第２壁部２６に設けられた係止部２６ａが、容器本体２と蓋本体３との離間距離が所定の距離であるときの蓋本体３における容器本体２に対向する側とは反対側の面に接触して蓋本体３を係止している。これにより、容器本体２と蓋本体３との離間距離が所定の距離を超えることがない。したがって、容器本体２と蓋本体３とは、これらの間に挟んだ該食品に接触した状態を維持することができる。
【００９２】
また、容器本体２と蓋本体３とは別体によって構成されているため、両者が連結している従来構成のような離間距離のばらつきが生じず、離間距離を容器本体２と蓋本体３との対向領域全体に渡って均一にすることができる。
【００９３】
これにより、発熱体同士によって食品を両側から挟み込み、該両側を良好に加熱することができる。
【００９４】
なお、本実施形態における電子レンジ加熱調理用容器１は、繰り返し電子レンジで食品を加熱することができる。
【００９５】
また本実施形態における電子レンジ加熱調理用容器１によれば、容器本体２の周辺から立設した、容器本体２と蓋本体３とを上記所定の距離離間させる離間保持部としての第１壁部２５が設けられている。これにより、容器本体２と蓋本体３との離間距離が上記所定の距離よりも小さくなることはない。したがって、発熱体が反対側の本体に接触したり、発熱体同士が接触する不都合を回避することができ、信頼性の高い電子レンジ加熱調理用容器を提供することができる。
【００９６】
また本実施形態における電子レンジ加熱調理用容器１によれば、容器本体２と蓋本体３とは各々１枚のブランクシートを折り曲げて組み立てたものであることから、組み立て前の状態では保管が容易で輸送性に優れた電子レンジ加熱調理用容器を提供することができる。
【００９７】
また、ブランクシートは比較的軽量である。そのため、軽量な電子レンジ加熱調理用容器を提供することができる。また、軽量であることから、蓋本体は浮き上がり易いところ、本実施形態の構成によれば、蓋本体の浮き上がりを抑えて、容器本体と蓋本体との間の離間距離を所定の距離に維持することができる。
【００９８】
また本実施形態における電子レンジ加熱調理用容器１によれば、係止部２６ａが、四角形を有した容器本体２の四隅に各々設けられている。これにより、反り易い角部に集中的に係止することができ、容器本体２と蓋本体３との間の離間距離を効果的に上記所定の距離に維持することができる。
【００９９】
また本実施形態における電子レンジ加熱調理用容器１によれば、係止部２６ａは、第１側面部および第３側面部の第２壁部２６に設けられた切り欠きによって形成されていることから、上記切り欠きに上記他方の本体を挿入することによって、第１側面部および第３側面部の第２壁部２６を、係止用貫通孔３０に挿嵌されている。これにより、簡易な構成によって係止部による蓋本体３の係止を実現することができる。すなわち、簡易な構成によって容器本体２と蓋本体３との離間距離を上記所定の距離に維持することができる。
【０１００】
また本実施形態における電子レンジ加熱調理用容器１によれば、係止用貫通孔３０には、第２壁部２６における、係止部２６ａに隣接した部分の幅と等しい幅を有する部分（長さＲを有する部分）と、該部分よりも幅が広い部分（長さＱを有する部分）とが設けられている。これにより、係止用貫通孔３０のどこかの箇所に係止部の幅よりも長い部分（長さＱを有する部分）を設けているため、係止用貫通孔３０に係止部２６ａを差し込む時、差し込みやすくなる。また、それ以外の箇所（長さＲを有する部分）は係止部２６ａと等しい幅を有しているため、第２壁部２６が係止用貫通孔３０から外れにくい構成を実現することができる。
【０１０１】
また本実施形態における電子レンジ加熱調理用容器１によれば、上記側面部には、上記一方の本体と上記他方の本体との離間距離が上記所定の距離となるときの上記挿入孔への挿入限界位置（挿入完了位置）を示す挿入完了マーカー２９が付されている。これにより、電子レンジ加熱調理用容器のユーザーは、容器本体２と蓋本体３との間の距離が上記所定の距離であるか否かを視覚的に認識することができる。
【０１０２】
また本発明に係る電子レンジ加熱調理用容器１は、上記の構成に加えて、上述した壁部を挿入した状態において、係止用貫通孔３０、第１位置決め用貫通孔３１および第２位置決め用切り欠き部３２には間隙（余剰スペース）があり、食品加熱時の熱または蒸気を、この間隙から排出する構成となっているため、加熱対象である食品の蒸気や熱を容器外部に排出して、食品にクリスピーな食感を付与することができることに寄与する。
【０１０３】
また本発明に係る電子レンジ加熱調理用容器１は、上記の構成に加えて、
蓋本体３には、容器本体２とは反対側に向かって立設した、加熱対象である食品が加熱される際に発する熱または蒸気の排出方向をガイドする排出ガイド部３３が設けられている。これにより、電子レンジ加熱調理用容器のユーザーに不意に熱や蒸気が吹きかかることがないため、より一層安全、安心な電子レンジ加熱調理用容器を提供することができる。
【０１０４】
また、本実施形態におけるブランクシートセットは、容器本体２と蓋本体３とを形成するためのそれぞれ１枚のブランクシートを有し、容器本体用ブランクシート１０２は、第１側面部２１、第２側面部２２、第３側面部２３および第４側面部２４のそれぞれの境界部分に、立設の起点となる折り畳み用折り線としての折り曲げマーカー１０２ｂが設けられており、蓋本体用ブランクシート１０３は、係止用貫通孔３０、第１位置決め用貫通孔３１および第２位置決め用切り欠き部３２が設けられているか、あるいは係止用貫通孔３０、第１位置決め用貫通孔３１および第２位置決め用切り欠き部３２となる領域が設けられている（例えば切り取り線などが付されている）。このようにブランクシートを組み立てる構成となっていることにより、組み立て前の状態では保管が容易で輸送性に優れた電子レンジ加熱調理用容器を提供することができる。
【０１０５】
なお、本発明には、容器本体用ブランクシート１０２、または蓋本体用ブランクシート１０３も含まれる。
【０１０６】
〔係止用貫通孔３０の変形例〕
本実施形態では、図３に示したような形状の係止用貫通孔３０を蓋本体３に設けたが、本発明はこれに限定されるものではなく、例えば、次のような形状を有した係止用貫通孔を蓋本体に設けてもよい。
【０１０７】
具体的には、図１２から図１５は、係止用貫通孔の変形例を示した図である。図１２は、係止用貫通孔３０´が設けられた蓋本体３の部分上面図であり、図３に対応している。図１２に示す係止用貫通孔３０´は、上述した図３に示す係止用貫通孔３０と同じく細長い形状を有しているが、図３に示す係止用貫通孔３０が上面からみて概ね台形を有しているのに対して、本変形例の係止用貫通孔３０´は上面からみて紡錘状となっている点で異なる。すなわち、細長い形状の係止用貫通孔３０´の長手方向を長軸（図１２中の長さＱ´およびＲ´の延伸方向）とした場合に、長軸に沿った係止用貫通孔３０の片側の端の形状が異なっている。具体的には、その長軸に対して垂直な方向に沿った係止用貫通孔３０´の短軸（図１２中の長さＰ´の延伸方向）とした場合に、本変形例の係止用貫通孔３０´は、短軸方向の幅の中間位置（図１２中の長さＰ´の半分）において係止用貫通孔３０の長軸方向の長さが最も長い（図１２中の長さＱ´）。そして、短軸方向に対向する係止用貫通孔３０´の両端部（図１２中の長さＲ´を有する端部）から、長軸方向の長さが最も長い箇所（図１２中の長さＱ´を有する箇所）に向かって傾斜部３０ａが形成されている。傾斜部３０ａと傾斜部３０ａとの交点には先端部３０ｂが設けられている。先端部ｂには、長軸方向に沿って切れ込みが設けられていても良い。また、短軸方向に対向する係止用貫通孔３０´の両端部（図１２中の長さＲ´を有する端部）は、本実施形態の容器本体２に設けられた第２壁部２６における係止部２６ａに隣接した括れた部分の幅と等しい。
【０１０８】
図１３は、図１２に示す係止用貫通孔３０´に、本実施形態の容器本体２に設けられた第２壁部２６を挿入している時点の状態を示した部分上面図である。係止用貫通孔３０´に、第２壁部２６を挿入する際には、図１３に示すように、係止用貫通孔３０´の長軸方向の長さが最も長く（図１２中の長さＱ´を有する箇所）に第２壁部２６を挿入する。そして、第２壁部２６を係止用貫通孔３０´に挿入した直後から、図４に示した態様と同様に、第２壁部２６を長さＱ´を有する箇所から長さＲ´を有する一方の端に向かってユーザーが第２壁部２６を移動させる。これにより、移動開始時には係止部２６ａに傾斜部３０ａが挿入されていないが、移動とともに挿入されていき、図１４に示す最終形態では、第２壁部２６が係止用貫通孔３０´に挿嵌された状態を実現することができる。
【０１０９】
図１５は、係止用貫通孔３０´が設けられた蓋本体３の一部分と、容器本体２の一部分とを示した上面図である。上述したように蓋本体３は四角形を有していて、係止用貫通孔３０´はその角部に設けられている。係止用貫通孔３０´の長軸に沿って、隣り合う２つの係止用貫通孔３０´を図１５に示しているが、これら係止用貫通孔３０´の先端部３０ｂ間の距離は、四角形の容器本体２の角部に設けられた２つの第２壁部２６における、係止部２６ａが設けられている側の端部間の距離よりも僅かに狭くなっている。これにより、これらの係止用貫通孔３０´にそれぞれ第２壁部２６を挿入した状態で、第２壁部２６が係止用貫通孔３０´の長軸方向の長さが最も長い箇所に意図せず移動したとしても、第２壁部２６が係止用貫通孔３０´から抜けて容器本体２から蓋本体３が意図せず外れることなく、信頼性があり、且つ、安定性のある電子レンジ加熱調理用容器１を提供することができる。
【０１１０】
〔その他の変形例〕
本実施形態では、第１側面部２１、第２側面部２２、第３側面部２３および第４側面部２４を容器本体２に設け、これらを挿入する係止用貫通孔３０、第１位置決め用貫通孔３１および第２位置決め用切り欠き部３２が蓋本体３に設けた態様を説明したが、本発明はこれに限定されるものではない。第１側面部２１、第２側面部２２、第３側面部２３および第４側面部２４に相当する部材を蓋本体３に設け、係止用貫通孔３０、第１位置決め用貫通孔３１および第２位置決め用切り欠き部３２に相当する部分を容器本体２に設けても良い。
【０１１１】
あるいは、本実施形態の構成のうち、離間保持部である第１壁部２５だけを、容器本体２ではなく蓋本体３に設けた変形例であってもよい。
【０１１２】
また、本実施形態では、容器本体２および蓋本体３の双方に発熱体４Ａ、４Ｂが設けられているが、何れか一方だけに発熱体を設ける構成であってもよい。
【０１１３】
本発明は上述した実施形態および変形例に限定されるものではなく、請求項に示した範囲で種々の変更が可能であり、実施形態および変形例にそれぞれ開示された技術的手段を適宜組み合わせて得られる実施形態についても本発明の技術的範囲に含まれる。
【実施例】
【０１１４】
本発明を一実施例を挙げてより具体的に説明する。
【０１１５】
本実施例では、図１に示した電子レンジ加熱調理用容器１として、１６０ｍｍ角の発熱体を、容器本体２と蓋本体３のそれぞれの対向側の面に配設した電子レンジ加熱調理用容器を用いた。
【０１１６】
各発熱体は、プラスチックフィルム層としてポリエチレンテレフタレートフィルム（厚さ１２μｍ）と、金属蒸着層としてアルミ蒸着層（厚さ７ｎｍ）と、剥離紙層としてシリコーンの塗布層を設けた紙（厚さ３５μｍ）とを順に積層した多層構造であり、剥離紙層を食品が向けた配置した。
【０１１７】
本実施例では、四角形を有した容器本体２（図１）の発熱体の配設領域（１８０ｍｍ角）の周辺（四辺）から第１〜第４側面部が立設しており、図１に示す構造と同一の電子レンジ加熱調理用容器である。第１〜第４側面部の第１壁部２５の高さ（立設している高さ）と、立設している高さが３０ｍｍである第２壁部２６に設けられた係止部２６ａの高さ（第２壁部２６の途中の高さに設けられている）とは、容器本体２と蓋本体３との所定の離間距離である５ｍｍ〜６ｍｍと等しい。
【０１１８】
蓋本体３に設けられた係止用貫通孔３０の長さＱ（図３）は３０ｍｍ、長さＲは２５ｍｍであり、図５に示した状態において蓋本体３における上面と接している係止部２６ａの長さは５ｍｍとした。
【０１１９】
容器本体２と蓋本体３とは、各々、紙（坪量３５０ｇ／ｍｍ）からなるブランクシート（厚さ０．５ｍｍ）から形成した。
【０１２０】
第２壁部２６、第３壁部２７および第４壁部２８が挿入される係止用貫通孔３０、第１位置決め用貫通孔３１および第２位置決め用切り欠き部３２には、第２壁部２６、第３壁部２７および第４壁部２８が挿入された状態であっても、約５ｍｍの隙間があり、この隙間が熱および蒸気を排出する孔として利用した。
【０１２１】
第１〜第４側面部２１〜２４を立設した容器本体２の発熱体の上に、食品としてのクッキー生地を４×４個（計１６個）配置した。このときの各クッキー生地は、球体として、等間隔に並べた。
【０１２２】
そして、蓋本体３を被せて、係止用貫通孔３０、第１位置決め用貫通孔３１および第２位置決め用切り欠き部３２に、第２〜第４壁部２５〜２８を挿入して、第２壁部２６の係止部２６ａが、係止用貫通孔３０の傾斜部３０ａに係止するまで押し込んだ。この押し込みによって、球体のクッキー生地は、蓋本体３の発熱体に押し潰されて、クッキー生地が容器本体２の発熱体と蓋本体３の発熱体との間で扁平形状となった。
【０１２３】
次いで、電子レンジの庫内に、容器本体２が下、蓋本体３が上になるようにして電子レンジ加熱調理用容器を入れ、５００ｗで３分間加熱調理した。加熱調理後、電子レンジの庫内から電子レンジ加熱調理用容器を取り出した。取り出した電子レンジ加熱調理用容器は、加熱前の変わらず、容器本体２と蓋本体３とが係止されていた。余熱をとった後、蓋本体３を外して、１６個のクッキーを取り出した。１６個のクッキーには全て両面に焼き目がついていた。
【０１２４】
以上のことから、本実施形態における電子レンジ加熱調理用容器によれば、離間距離を容器本体２と蓋本体３とが対向領域全体に渡って均一とすることができ、発熱体同士によって食品を両側から挟み込み、該両側を良好に加熱することができることが示された。
【０１２５】
なお、本実施例の電子レンジ加熱調理用容器は、繰り返し電子レンジでクッキーを加熱することができる。例えば、１６個のクッキーを焼き上げた後、連続してもう１６個のクッキー生地を、先のクッキーが取り出された後の容器本体２の発熱体の上に配置して、先述した手法と同様にして加熱することができる。この２回目の加熱においても、５００ｗで３分間加熱調理すればよい。
【産業上の利用可能性】
【０１２６】
本発明は、電子レンジ加熱調理用容器として、製菓用などに幅広く利用することができる。
【符号の説明】
【０１２７】
１  電子レンジ加熱調理用容器
２  容器本体
３  蓋本体
４Ａ  発熱体
４Ｂ  発熱体
２０  底部
２１  第１側面部（側面部）
２２  第２側面部
２３  第３側面部（側面部）
２４  第４側面部
２５  第１壁部
２６  第２壁部（側面部）
２６ａ  係止部
２７  第３壁部
２８  第４壁部
２９  挿入完了マーカー（マーカー）
３０、３０´  係止用貫通孔（挿入部）
３０ａ  傾斜部
３０ｂ  先端部
３１  第１位置決め用貫通孔
３２  第２位置決め用切り欠き部
３３  排出ガイド部
４０  プラスチックフィルム層
４１  金属蒸着層
４２  剥離紙層
５０  食品
１０２  容器本体形成用ブランクシート
１０２  容器本体用ブランクシート
１０２ａ  位置合わせマーカー
１０２ｂ  折り曲げマーカー
１０３  蓋本体用ブランクシート
１０３ｃ  把持位置マーカー
【図１】
2015093732.tif 000003
【図２】
2015093732.tif 000004
【図３】
2015093732.tif 000005
【図４】
2015093732.tif 000006
【図５】
2015093732.tif 000007
【図６】
2015093732.tif 000008
【図７】
2015093732.tif 000009
【図８】
2015093732.tif 000010
【図９】
2015093732.tif 000011
【図１０】
2015093732.tif 000012
【図１１】
2015093732.tif 000013
【図１２】
2015093732.tif 000014
【図１３】
2015093732.tif 000015
【図１４】
2015093732.tif 000016
【図１５】
2015093732.tif 000017